(57)【要約】【課題】  通気性を確保するとともに日差しの遮断性を同時に確保できる日除け用上着を実現すること。【解決手段】  弾性を有する中空の球状体を平面状に連結した生地を用いて製作されたことを特徴とする日除け用上着であり、前記の球状体を平面状に連結した生地を重ね合わせて２層構造とし、かつ、上層の球状体と下層の球状体が互い違いの状態で構成されたものである。【選択図】図１
2009256849.tif 000002
【特許請求の範囲】
【請求項１】
弾性を有する中空の球状体を平面状に連結した生地を用いて製作されたことを特徴とする日除け用上着。
【請求項２】
前記の球状体を平面状に連結した生地を重ね合わせて２層構造とし、かつ、上層の球状体と下層の球状体が互い違いの状態で構成されていることを特徴とする請求項１に記載の日除け用上着。
【請求項３】
前記の下層の球状体による生地の内側に網状生地を設け、該網状生地に下層の球状体が連結されていることを特徴とする請求項１又は請求項２に記載の日除け用上着。
【請求項４】
前記の球状体は、気密性を有する球状体であることを特徴とする請求項１から請求項３までのいずれかの項に記載の日除け用上着。
【請求項５】
前記の球状体の表面に発光性塗料が塗布されていることを特徴とする請求項１から請求項４までのいずれかの項に記載の日除け用上着。
【発明の詳細な説明】
【技術分野】
【０００１】  本発明は、通気性があり、日差しを遮ることを目的とする日除け用上着に関するものである。
【背景技術】
【０００２】  従来、日除け防止用の上着として、特開２０００−３１４０１８号公報などある。【０００３】  これは、袖部分の良好な通気性と腕の日焼け防止、さらには吸汗性を両立させることが可能な日焼け防止用上着を提供することを目的とし、日焼け防止用上着１は、胸部から腹部を被う上着本体部としての胴衣部２と、その胴衣部２の二の腕付近の縫合部５に縫い付けられた袖部３とを有している。【０００４】  袖部３の生地の厚さは、胴衣部２の生地よりも薄いものであり、袖部３の良好な通気性が確保されている。また、袖部３の袖口４は、袖部の肘部７からほぼ一様な袖幅にて筒状に開口されている。すなわち、袖口４と肘部７との袖周り寸法がほぼ同じで、袖口４と手首８との間には袖内外を通気するのに十分な隙間が設けられているものである。
【特許文献１】特開２０００−３１４０１８号公報
【発明の開示】
【発明が解決しようとする課題】
【０００５】  特開２０００−３１４０１８号公報については、薄い生地を使用して通気性を確保するとしているが、生地が薄いだけで十分な通気性を確保することは困難である。通気性と日差しの遮蔽性を同時に確保することが重要である。【０００６】  本発明の解決しようとする問題点は、通気性を確保するとともに日差しの遮断性を同時に確保できる日除け用上着を実現することである。
【課題を解決するための手段】
【０００７】  本発明は、上記の問題点を解決するために、
請求項１では、弾性を有する中空の球状体を平面状に連結した生地を用いて製作されたことを特徴とする日除け用上着としたものである。【０００８】  該球状体は、弾性を有する中空の球状体であればいずれでも良く、ゴムや軟質樹脂製の中空の球体などでも良い。また、他にも軽くて日射しを吸収しにくい素材あるいは、反射する素材でも良い。あるいは、熱反射塗料や非熱吸収塗料などを塗布した素材などでも良い。【０００９】  球の直径は、０．５ｃｍ〜３．０ｃｍ程度が良く、好ましくは、１ｃｍ〜３ｃｍ程度が良く、さらに好ましくは、１．３ｃｍ〜１．５ｃｍが良い。【００１０】  また、球状体の形状は、完全な球体のほかに、楕円状球体や卵型でも良く、上記のサイズの球体を形成できるものであればいずれでも良く、連結のための接続用突起部が形成されているものでも良い。【００１１】  また、球状体の肉厚は、軽量化のため薄い方が好ましく、変形しにくく、一定程度の耐久性を有するものであれば良い。【００１２】  該球状体において、上着の屈曲部分に使用される球状体は、屈曲により内部の空気が抜けるように、排気孔を設けても良い。【００１３】  請求項２では、前記の球状体を平面状に連結した生地を重ね合わせて２層構造とし、かつ、上層の球状体と下層の球状体が互い違いの状態で構成されていることを特徴とする日除け用上着としたものである。【００１４】  球状体を２層にすることで、遮蔽性を高め、上層と下層の球状体を互い違いに配置することにより、完全に日射しを遮ることが可能となる。【００１５】  上下層の球状体が互い違いに配置されることで、遮蔽でき、かつ球状体同士の隙間があるので十分な通気性を確保することも出来る。【００１６】  請求項３では、前記の下層の球状体による生地の内側に網状生地を設け、該網状生地に下層の球状体が連結されていることを特徴とする日除け用上着としたものである。【００１７】  該網状体は、通気性があり、一定程度の強度を有するものであり、球状体を接着などにより連結できるものであればいずれでも良い。【００１８】  例えば、軟質の衣料用繊維素材などが使用できる。網目は、好ましくは、２ｍｍから１０ｍｍ程度であり、さらに好ましくは３ｍｍから６ｍｍ程度が良く、４ｍｍ程度が最も好ましい。【００１９】  請求項４では、前記の球状体は、気密性を有する球状体であることを特徴とする日除け用上着としたものである。【００２０】  気密性を有することで、海洋レジャーなどの水上で使用することも可能であり、ライフジャケットとしても使用できる。また、この場合には、球状体のサイズは大きめの方が好ましい。例えば、直径が３ｃｍ〜１０ｃｍ程度が好ましい。【００２１】  請求項５では、前記の球状体の表面に発光性塗料が塗布されていることを特徴とする日除け用上着としたものである。【００２２】  該発光性塗料としては、蛍光塗料や夜光塗料などが使用できる。夜間の使用において、発光するので、安全であり、夜釣りなとに便利である。
【発明の効果】
【００２３】  本発明は以下の効果を奏する。【００２４】１）球状体が連結されているため、遮光性と通気性を確保することが出来る。【００２５】２）上層と下層が互い違いに配置されるので、確実に遮光することができ、かつ、通気性を十分に確保できる。【００２６】３）網状体に球状体が連結されているので、形状の安定性が確保され、球状体に直接、接触しないので、素肌にも着用できる。【００２７】４）気密性の球状体とすることで、水中での浮力があるため、救命胴衣としての機能も発揮される。【００２８】５）発光性塗料により、夜間でも目立つので安全であり、夜釣りなとに着用すると便利である。
【発明を実施するための最良の形態】
【００２９】  本発明の一実施形態について図面を用いて説明する。【００３０】  図１は、本発明による日除け用上着の生地の該略図を示す。図２は図１の縦断面図である。【００３１】  本実施例では、ゴム製の中空の球体を用いた例である。直径は１３ｍｍのものを使用した。【００３２】  本実施例の日除け用上着の生地は、該球体１同士を平面状に接着し連結して上層生地５とし、同様に球体２を平面状に接着し連結して下層生地６とし、そのさらに下層に下地層として網状体３を形成し、合わせて３層（５、６、３）からなる生地で構成される多層生地としたものである。【００３３】  上層生地５の球体１と下層生地６の球体２とは、各々互い違いとなるように重ねて接着し連結されており、この２層（５、６）の球体（１，２）によって、日射しが遮られるようになっている。各球体同士の隙間が形成されるため、この隙間により通気性が確保されている。【００３４】  下地層の網状体３は、衣服用のメッシュ繊維を用いた。網目は、□１３ｍｍのものを使用した。【００３５】  図３は、本発明による日除け用上着の屈曲部を示す断面図である。【００３６】  屈曲部は、球体同士を平面状に連結された上層と下層が重なって接着されているため、その部分は、局部的に引っ張られることになる。【００３７】  このため、図３に示すように、屈曲部の上層と下層の間に他の球体より直径の小さな球体を使用することで、屈曲部の形状を曲面に沿って、自然に形成させることを可能とするものである。【００３８】  図４は、本発明による日除け用上着の屈曲部の他の例を示す断面図である。【００３９】  この実施例では、屈曲部の下層の球体の一部を取り除いたものであり、これにより、屈曲の形成が容易となる。【００４０】  このように、球体を用いた生地とすることにより、日除け効果と通気性確保を同時に実現できる。また、気密性の球体を使用すると、救命胴衣などとしても使用可能となり、海洋レジャーなどに最適である。【００４１】  尚、緊急時に水中で使用する場合などでは、浮力により日除け用上着が体からめくれたり、脱げたりすることがないように、適時、該上着の腰部にベルトや結束のための紐などを取り付け、しっかりと固定できるようにすると良い。【００４２】  また、球体の表面に夜光塗料などを塗布すると、夜間でも安全に使用でき、夜釣りや夜間の自転車やオートバイ用としても使用できる。【００４３】  また、袖の部分については、球体を用いた生地に変えて、うろこ状や葉形状などの他の日除け部材による生地を用いても良い。
【図面の簡単な説明】
【００４４】
【図１】本発明の日除け用上着の生地の概略平面図である。
【図２】本発明の日除け用上着の生地の概略断面図である。
【図３】本発明の日除け用上着の屈曲部分を示す概略断面図である。
【図４】本発明の日除け用上着の屈曲部分の他の例を示す概略断面図である。
【符号の説明】
【００４５】  １  上層の球状体
２  下層の球状体
３  網状体
４  屈曲部の球状体
５  上層生地
６  下層生地
【図１】
2009256849.tif 000003
【図２】
2009256849.tif 000004
【図３】
2009256849.tif 000005
【図４】
2009256849.tif 000006